(57)【要約】【課題】長期の経過観察が必要な病気のフォローアップをより確実に行うことができる医用情報処理装置、システム及び方法を提供すること。【解決手段】実施形態に係る医用情報処理装置は、取得部と、保存部とを備える。取得部は、医用画像の画像データを取得する。保存部は、前記画像データ、及び、当該画像データに基づく解析結果を示す解析データを保存する。ここで、前記保存部は、前記解析データをテキスト形式で保存し、前記画像データは、保存されてから所定の保管期間が経過した際に削除又は圧縮され、前記解析データは、前記画像データが削除又は圧縮された後も継続して保存される。【選択図】図１
2019061376.tif 000002
【特許請求の範囲】
【請求項１】
医用画像の画像データを取得する取得部と、
前記画像データ、及び、当該画像データに基づく解析結果を示す解析データを保存する保存部とを備え、
前記保存部は、前記解析データをテキスト形式で保存し、
前記画像データは、保存されてから所定の保管期間が経過した際に削除又は圧縮され、
前記解析データは、前記画像データが削除又は圧縮された後も継続して保存される、
医用情報処理装置。
【請求項２】
前記保存部は、前記解析データを暗号化して前記テキスト形式で保存する、
請求項１に記載の医用情報処理装置。
【請求項３】
前記保存部は、前記保管期間が経過した際に、前記解析データを暗号化して前記テキスト形式で保存する、
請求項２に記載の医用情報処理装置。
【請求項４】
前記保存部は、前記画像データ及び前記解析データを保存する際に、当該解析データを暗号化して前記テキスト形式で保存する、
請求項２に記載の医用情報処理装置。
【請求項５】
前記保存部は、前記画像データ及び前記解析データの両方を含む第１の保存データと、前記解析データのみを含む第２の保存データとを保存し、
前記第１の保存データは、保存されてから前記保管期間が経過した際に削除又は圧縮される、
請求項１〜４のいずれか一つに記載の医用情報処理装置。
【請求項６】
前記保存部は、前記第１の保存データを保存する際に前記第２の保存データも保存する、
請求項５に記載の医用情報処理装置。
【請求項７】
前記保存部は、前記第１の保存データを保存してから前記保管期間が経過した際に前記第２の保存データを保存する、
請求項５に記載の医用情報処理装置。
【請求項８】
前記保存部は、前記解析結果の基になった画像データを撮像した医用画像診断装置に関するデータを前記解析データと関連付けてテキスト形式でさらに保存し、
前記解析データと関連付けられたデータは、前記画像データが削除又は圧縮された後も継続して保存される、
請求項１〜７のいずれか一つに記載の医用情報処理装置。
【請求項９】
前記保存部は、前記解析結果が得られた解析で用いられたデータを前記解析データと関連付けてテキスト形式でさらに保存する、
前記解析データと関連付けられたデータは、前記画像データが削除又は圧縮された後も継続して保存される、
請求項１〜８のいずれか一つに記載の医用情報処理装置。
【請求項１０】
医用画像診断装置と、医用情報保管装置と、医用情報処理装置とを含む医用情報処理システムであって、
前記医用情報処理装置が、
医用画像の画像データを取得する取得部と、
前記画像データを前記医用情報保管装置に保存し、当該画像データに基づく解析結果を示す解析データを自装置及び前記医用情報保管装置の少なくとも一方に保存する保存部とを備え、
前記保存部は、前記解析データをテキスト形式で保存し、
前記画像データは、保存されてから所定の保管期間が経過した際に削除又は圧縮され、
前記解析データは、前記画像データが削除又は圧縮された後も継続して保存される、
医用情報処理システム。
【請求項１１】
医用画像の画像データを取得し、
前記画像データ、及び、当該画像データに基づく解析結果を示す解析データを保存することを含み、
前記画像データは、保存されてから所定の保管期間が経過した際に削除又は圧縮され、
前記解析データは、テキスト形式で保存され、前記画像データが削除又は圧縮された後も継続して保存される、
医用情報処理方法。
【発明の詳細な説明】
【技術分野】
【０００１】
本発明の実施形態は、医用情報処理装置、システム及び方法に関する。
【背景技術】
【０００２】
従来、カルテ情報や医用画像、所見又は測定結果の記録等のデータは、所定の保管期間、保管することが義務付けられている。しかし、これらのデータが保存されるＰＡＣＳ（Picture  Archiving  and  Communication  Systems）サーバやＶＮＡ（Vendor  Neutral  Archive）サーバ等には保存可能なデータ量に制限があるため、保管期間が切れたデータは、保管期間が経過した際に削除されたり、非可逆で圧縮されたりする。
【０００３】
この一方で、例えば、アルツハイマー等のように長期の経過観察が必要な病気のフォローアップでは、保管期間より前に作成されたデータを参照することが必要になる場合もある。そのような場合には、上述した従来の技術では、必要なデータが参照できずに、正しく経過を把握することができないこともあり得る。
【先行技術文献】
【特許文献】
【０００４】
【特許文献１】特開２００７−０６８７１６号公報
【特許文献２】特開２００６−２７１４５１号公報
【発明の概要】
【発明が解決しようとする課題】
【０００５】
本発明が解決しようとする課題は、長期の経過観察が必要な病気のフォローアップをより確実に行うことができる医用情報処理装置、システム及び方法を提供することである。
【課題を解決するための手段】
【０００６】
実施形態に係る医用情報処理装置は、取得部と、保存部とを備える。取得部は、医用画像の画像データを取得する。保存部は、前記画像データ、及び、当該画像データに基づく解析結果を示す解析データを保存する。ここで、前記保存部は、前記解析データをテキスト形式で保存し、前記画像データは、保存されてから所定の保管期間が経過した際に削除又は圧縮され、前記解析データは、前記画像データが削除又は圧縮された後も継続して保存される。
【図面の簡単な説明】
【０００７】
【図１】図１は、第１の実施形態に係る医用情報処理システムの構成例を示す図である。
【図２】図２は、第１の実施形態に係る保存機能によって保存される画像データ及び解析データの保存例を示す図である。
【図３】図３は、第１の実施形態に係る保存機能によって保存される画像データ及び解析データの保存例を示す図である。
【図４】図４は、第１の実施形態に係る保存機能によって保存される画像データ及び解析データの他の保存例を示す図である。
【図５】図５は、第１の実施形態に係る医用情報処理システムによって行われる処理の処理手順を示すフローチャートである。
【図６】図６は、第２の実施形態に係る保存機能によって保存される画像データ及び解析データの保存例を示す図である。
【図７】図７は、第２の実施形態に係る保存機能によって保存される画像データ及び解析データの保存例を示す図である。
【図８】図８は、第１及び第２の実施形態に係る医用情報処理システムの効果を説明するための図である。
【図９】図９は、第１及び第２の実施形態に係る医用情報処理システムの効果を説明するための図である。
【図１０】図１０は、第１及び第２の実施形態に係る効果を説明するための図である。
【発明を実施するための形態】
【０００８】
以下、図面を参照しながら、医用情報処理装置、システム及び方法の実施形態について詳細に説明する。
【０００９】
（第１の実施形態）
図１は、第１の実施形態に係る医用情報処理システムの構成例を示す図である。
【００１０】
例えば、図１に示すように、本実施形態に係る医用情報処理システム１００は、医用画像診断装置１１０と、医用情報保管装置１２０と、医用情報処理装置１３０とを含む。ここで、医用画像診断装置１１０、医用情報保管装置１２０及び医用情報処理装置１３０は、ネットワーク２００を介して相互に通信可能に接続されている。例えば、各装置は、病院等に設置され、院内ＬＡＮ（Local  Area  Network）等によって相互に接続される。
【００１１】
医用画像診断装置１１０は、被検体から収集したデータに基づいて、各種の医用画像の画像データを生成する。例えば、医用画像診断装置（モダリティとも呼ばれる）１１０は、Ｘ線診断装置やＸ線ＣＴ（Computed  Tomography）装置、ＭＲＩ（Magnetic  Resonance  Imaging）装置、超音波診断装置、ＳＰＥＣＴ（Single  Photon  Emission  Computed  Tomography）装置、ＰＥＴ（Positron  Emission  computed  Tomography）装置、ＳＰＥＣＴ装置とＸ線ＣＴ装置とが一体化されたＳＰＥＣＴ−ＣＴ装置、ＰＥＴ装置とＸ線ＣＴ装置とが一体化されたＰＥＴ−ＣＴ装置等である。
【００１２】
医用情報保管装置１２０は、医用画像に関する各種のデータを保管する。具体的には、医用情報保管装置１２０は、ネットワーク２００を介して、医用画像診断装置１１０及び医用情報処理装置１３０から各種のデータを取得し、取得したデータを記憶回路に記憶させる。例えば、医用情報保管装置１２０は、ＰＡＣＳサーバやＶＮＡサーバ等のコンピュータ機器によって実現される。
【００１３】
医用情報処理装置１３０は、医用画像の画像データに基づいて各種の処理を行う。具体的には、医用情報処理装置１３０は、ネットワーク２００を介して、医用画像診断装置１１０又は医用情報保管装置１２０から画像データを取得し、取得した画像データに基づいて各種の処理を行う。例えば、医用情報処理装置１３０は、ワークステーション等のコンピュータ機器によって実現される。
【００１４】
より具体的には、例えば、図１に示すように、医用情報処理装置１３０は、ネットワーク（Network：ＮＷ）インタフェース１３１と、記憶回路１３２と、入力インタフェース１３３と、ディスプレイ１３４と、処理回路１３５とを備える。
【００１５】
ＮＷインタフェース１３１は、ネットワーク２００を介して接続された他の装置と医用情報処理装置１３０との間で送受信される各種データの伝送及び通信を制御する。具体的には、ＮＷインタフェース１３１は、処理回路１３５に接続され、処理回路１３５から出力される画像データを医用画像診断装置１１０又は医用情報保管装置１２０に送信する。また、ＮＷインタフェース１３１は、医用画像診断装置１１０又は医用情報保管装置１２０から受信した画像データを処理回路１３５に出力する。例えば、ＮＷインタフェース１３１は、ネットワークカードやネットワークアダプタ、ＮＩＣ（Network  Interface  Controller）等によって実現される。
【００１６】
記憶回路１３２は、各種データを記憶する。具体的には、記憶回路１３２は、処理回路１３５に接続され、処理回路１３５から送られる命令に応じて、入力された画像データを記憶し、又は、記憶している画像データを処理回路１３５に出力する。例えば、記憶回路１３２は、ＲＡＭ（Random  Access  Memory）、フラッシュメモリ等の半導体メモリ素子や、ハードディスク、光ディスク等によって実現される。
【００１７】
入力インタフェース１３３は、操作者から各種指示及び各種情報の入力操作を受け付ける。具体的には、入力インタフェース１３３は、処理回路１３５に接続されており、操作者から受け取った入力操作を電気信号へ変換し制御回路へと出力する。例えば、入力インタフェース１３３は、関心領域（Region  Of  Interest：ＲＯＩ）の設定等を行うためのトラックボール、スイッチボタン、マウス、キーボード、操作面へ触れることで入力操作を行うタッチパッド、表示画面とタッチパッドとが一体化されたタッチスクリーン、光学センサを用いた非接触入力インタフェース、及び音声入力インタフェース等によって実現される。なお、本明細書において、入力インタフェース１３３は、マウス、キーボード等の物理的な操作部品を備えるものだけに限られない。例えば、装置とは別体に設けられた外部の入力機器から入力操作に対応する電気信号を受け取り、この電気信号を制御回路へ出力する電気信号の処理回路も入力インタフェース１３３の例に含まれる。
【００１８】
ディスプレイ１３４は、各種情報及び各種画像を表示する。具体的には、ディスプレイ１３４は、処理回路１３５に接続され、処理回路１３５から出力される画像データに基づいて、各種の形式で画像を表示する。例えば、ディスプレイ１３４は、液晶モニタやＣＲＴ（Cathode  Ray  Tube）モニタ、タッチパネル等によって実現される。
【００１９】
処理回路１３５は、入力インタフェース１３３を介して操作者から受け付けた入力操作に応じて、医用情報処理装置１３０が備える各構成要素を制御する。具体的には、処理回路１３５は、ＮＷインタフェース１３１から出力される画像データを記憶回路１３２に記憶させる。また、処理回路１３５は、医用画像診断装置１１０によって生成された画像データに基づいて各種の処理を行う。例えば、処理回路１３５は、画像データに基づいて各種の画像処理を行うことで、診断用の各種の画像データを生成する。また、例えば、処理回路１３５は、画像データに基づいて各種の解析処理を行うことで、解析結果を示す解析データを生成する。また、処理回路１３５は、操作者からの指示に応じて、画像データや解析データをディスプレイ１３４に表示する。例えば、処理回路１３５は、プロセッサによって実現される。
【００２０】
以上、本実施形態に係る医用情報処理システム１００の構成例について説明した。このような構成のもと、本実施形態では、医用情報処理装置１３０が、画像データ、及び、当該画像データに基づく解析結果を示す解析データを医用情報保管装置１２０に保存する。そして、医用情報保管装置１２０に保存された画像データは、保存されてから所定の保管期間が経過した際に、削除又は圧縮される。
【００２１】
ここで、一般的に、カルテ情報や医用画像、所見又は測定結果の記録等のデータは、所定の保管期間（例えば、５年等）、保管することが義務付けられている。しかし、これらのデータが保存されるＰＡＣＳサーバやＶＮＡサーバ等には保存可能なデータ量に制限があるため、保管期間が切れたデータは、保管期間が経過した際に削除又は非可逆に圧縮される。
【００２２】
この一方で、例えば、アルツハイマー等のように長期の経過観察が必要な病気のフォローアップでは、保管期間より前（例えば、１０年前等）に作成されたデータを参照することが必要になる場合もある。そのような場合には、上述した従来の技術では、必要なデータが参照できずに、正しく経過を把握することができないこともあり得る。
【００２３】
このようなことから、本実施形態に係る医用情報処理システム１００では、医用情報処理装置１３０が、解析データをテキスト形式で医用情報保管装置１２０に保存する。そして、本実施形態に係る医用情報処理システム１００では、医用情報保管装置１２０に保存された解析データは、画像データが削除又は圧縮された後も継続して保存される。
【００２４】
すなわち、本実施形態では、保管期間が経過した際に画像データが削除又は圧縮される一方で、解析データについては、画像データが削除又は圧縮された後も継続して保存されるようにしている。ここで、解析データはテキスト形式で保存されているため、医用情報保管装置１２０に保存されるデータのデータ量が抑えられる。
【００２５】
このような構成によれば、長期の経過観察が必要な病気のフォローアップをより確実に行うことができるようになる。
【００２６】
具体的には、例えば、図１に示すように、医用情報処理装置１３０の処理回路１３５が、取得機能１３５ａと、解析機能１３５ｂと、保存機能１３５ｃとを有する。なお、本実施形態における取得機能１３５ａは、取得部の一例である。また、本実施形態における解析機能１３５ｂは、解析部の一例である。また、本実施形態における保存機能１３５ｃは、保存部の一例である。なお、本明細書における取得部、解析部、及び保存部は、回路等のハードウェアとソフトウェアとの混合によって実現されても構わない。
【００２７】
取得機能１３５ａは、医用画像の画像データを取得する。
【００２８】
具体的には、取得機能１３５ａは、ＮＷインタフェース１３１を介して、医用画像診断装置１１０又は医用情報保管装置１２０から画像データを取得し、取得した画像データを記憶回路１３２に記憶させる。
【００２９】
解析機能１３５ｂは、取得機能１３５ａによって取得された画像データに基づいて、画像処理や解析処理等の各種の処理を行う。
【００３０】
具体的には、解析機能１３５ｂは、操作者からの指示に応じて、取得機能１３５ａによって記憶回路１３２に記憶された画像データを読み出し、読み出した画像データに基づいて、画像処理や解析処理等の各種の処理を行う。
【００３１】
例えば、解析機能１３５ｂは、画像データに基づいて各種の画像処理を行うことで、診断用の各種の二次元画像データ又は三次元画像データ（ボリュームデータとも呼ばれる）を生成する。また、例えば、解析機能１３５ｂは、画像データに基づいて各種の解析処理を行うことで、解析結果を示す解析データを生成する。
【００３２】
ここで、解析データは、例えば、対象の疾患に関する計測値や、医用情報処理装置１３０に実装されている解析用の臨床アプリケーションで用いられる計測値等である。具体的な例としては、例えば、解析データは、アルツハイマーの診断等で計測される脳の海馬のボリューム（体積）の計測値や、血管の狭窄率の計測値、血管に生じたプラークの大きさの計測値等である。
【００３３】
保存機能１３５ｃは、取得機能１３５ａによって取得された画像データ、及び、当該画像データに基づく解析結果を示す解析データを保存する。
【００３４】
具体的には、保存機能１３５ｃは、ＮＷインタフェース１３１を介して、取得機能１３５ａによって取得された画像データ、及び、解析機能１３５ｂによって生成された診断用の画像データ及び解析データを医用情報保管装置１２０に保存する。このとき、例えば、保存機能１３５ｃは、ＤＩＣＯＭ（Digital  Imaging  and  Communications  in  Medicine）等の所定の規格に準拠した画像フォーマットで、画像データを保存する。なお、保存機能１３５ｃは、医用情報保管装置１２０に保存した画像データ及び解析データについては、自装置の記憶回路１３２から削除する。
【００３５】
ここで、保存機能１３５ｃは、解析機能１３５ｂによって生成された解析データをテキスト形式で保存する。例えば、保存機能１３５ｃは、解析機能１３５ｂによって生成された解析データに含まれる計測値等を表す文字情報をテキスト形式で保存する。
【００３６】
そして、医用情報保管装置１２０に保存された画像データは、保存されてから所定の保管期間が経過した際に、医用情報保管装置１２０によって削除又は圧縮される。一方、医用情報保管装置１２０に保存された解析データは、所定の保管期間が経過しても削除も圧縮もされずに、画像データが削除又は圧縮された後も医用情報保管装置１２０に継続して保存される。
【００３７】
以下、保存機能１３５ｃによる画像データ及び解析データの保存例を説明する。
【００３８】
例えば、保存機能１３５ｃは、画像データ及び解析データの両方を含む保存データを生成して、医用情報保管装置１２０に保存する。
【００３９】
図２及び３は、第１の実施形態に係る保存機能１３５ｃによって保存される画像データ及び解析データの保存例を示す図である。
【００４０】
例えば、図２の（Ａ−１）に示すように、保存機能１３５ｃは、画像データ、レポートのデータ、解析データ、及び他の関連データ（同図に示す「・・・」）をそれぞれデータ項目とし、各データ項目をレコードのキーに対応付けたテーブルの形式で、保存データを保存する。または、例えば、図２の（Ｂ−１）に示すように、保存機能１３５ｃは、画像データ及び解析データのみをデータ項目とし、各データ項目をレコードのキーに対応付けたテーブルの形式で、保存データを保存する。このとき、保存機能１３５ｃは、解析データをテキスト形式でテーブルに設定する。
【００４１】
この場合には、例えば、図２の（Ａ−２）及び（Ｂ−２）に示すように、医用情報保管装置１２０は、画像データ及び解析データが保存されてから所定の保管期間が経過した際に、保存データのレコードから、解析データ以外のデータ項目の内容を削除する。なお、例えば、医用情報保管装置１２０は、解析データ以外のデータ項目の内容を削除するのではなく、解析データ以外のデータ項目の内容を非可逆に圧縮してもよい。
【００４２】
または、例えば、図３の（Ａ−２）及び（Ｂ−２）に示すように、保存機能１３５ｃが、画像データ及び解析データが保存されてから所定の保管期間が経過した際に、データ項目を解析データのみにした保存データを新たに作成して、医用情報保管装置１２０に保存してもよい。この場合には、医用情報保管装置１２０は、画像データ及び解析データが保存されてから所定の保管期間が経過した際に、先に保存されていた保存データをレコードごと削除する。
【００４３】
なお、このように、保管期間が経過した際に保存データを新たに作成する場合には、保存機能１３５ｃは、新たに作成した保存データを医用情報保管装置１２０に保存するのではなく、医用情報処理装置１３０の記憶回路１３２に保存してもよい。または、保存機能１３５ｃは、医用情報保管装置１２０、及び、医用情報処理装置１３０の記憶回路１３２の両方に保存データを保存してもよい。すなわち、保存機能１３５ｃは、医用情報保管装置１２０に、及び、医用情報処理装置１３０の記憶回路１３２の少なくとも一方に解析データを保存する。
【００４４】
または、例えば、保存機能１３５ｃは、画像データ及び解析データの両方を含む第１の保存データと、解析データのみを含む第２の保存データとをそれぞれ生成して、医用情報保管装置１２０に保存してもよい。
【００４５】
図４は、第１の実施形態に係る保存機能１３５ｃによって保存される画像データ及び解析データの他の保存例を示す図である。
【００４６】
例えば、図４の（Ａ−１）に示すように、保存機能１３５ｃは、画像データ、レポートのデータ、解析データ、及び他の関連データ（同図に示す「・・・」）をそれぞれデータ項目とし、各データ項目をレコードのキーに対応付けたテーブルの形式で、第１の保存データを保存する。また、例えば、図４の（Ｂ−１）に示すように、保存機能１３５ｃは、解析データのみをデータ項目とし、当該データ項目をレコードのキーに対応付けたテーブルの形式で、第２の保存データを保存する。このとき、保存機能１３５ｃは、解析データをテキスト形式で各テーブルに設定する。
【００４７】
この場合には、例えば、図４の（Ａ−２）に示すように、医用情報保管装置１２０は、画像データ及び解析データが保存されてから所定の保管期間が経過した際に、第１の保存データのレコードから、全てのデータ項目の内容を削除する。なお、例えば、医用情報保管装置１２０は、各データ項目の内容を削除するのではなく、各データ項目の内容を非可逆に圧縮してもよい。一方、例えば、図４の（Ｂ−２）に示すように、医用情報保管装置１２０は、第２の保存データについては、所定の保管期間が経過しても何も更新しない。
【００４８】
なお、このように、画像データ及び解析データの両方を含む第１の保存データと、解析データのみを含む第２の保存データとをそれぞれ生成する場合には、保存機能１３５ｃは、第１の保存データを保存する際に第２の保存データも保存してもよいし、第１の保存データを保存してから保管期間が経過した際に第２の保存データを保存してもよい。また、この場合には、保存機能１３５ｃは、第２の保存データを医用情報保管装置１２０に保存するのではなく、医用情報処理装置１３０の記憶回路１３２に保存してもよい。または、保存機能１３５ｃは、医用情報保管装置１２０に、及び、医用情報処理装置１３０の記憶回路１３２の両方に第２の保存データを保存してもよい。すなわち、保存機能１３５ｃは、医用情報保管装置１２０に、及び、医用情報処理装置１３０の記憶回路１３２の少なくとも一方に解析データを保存する。
【００４９】
このように、図２〜４に示したいずれの保存例でも、各図の（Ａ−２）及び（Ｂ−２）に示すように、保管期間が経過した画像データについては、テキスト形式で設定された解析データのみがデータ項目として保存されることになる。この結果、医用情報保管装置１２０に保存されるデータのデータ量を抑えることができるようになる。そして、このように保存された解析データを用いることで、長期の経過観察が必要な病気のフォローアップを行うことができるようになる。
【００５０】
以上、処理回路１３５が有する各機能について説明した。例えば、本実施形態では、取得機能１３５ａ、解析機能１３５ｂ、及び保存機能１３５ｃによって行なわれる各処理機能は、コンピュータによって実行可能なプログラムの形態で記憶回路１３２に記憶されている。処理回路１３５は、記憶回路１３２から各プログラムを読み出して実行することで、各プログラムに対応する機能を実現するプロセッサである。換言すると、各プログラムを読み出した状態の処理回路１３５は、図１の処理回路１３５内に示された各機能を有することとなる。
【００５１】
なお、図１では、取得機能１３５ａ、解析機能１３５ｂ、及び保存機能１３５ｃによって行われる処理機能が単一の処理回路１３５によって実現される場合の例を示したが、実施形態はこれに限られない。例えば、複数の独立したプロセッサを組み合わせて処理回路１３５を構成し、各プロセッサがプログラムを実行することによって各機能を実現するものとしても構わない。また、処理回路１３５が有する各処理機能は、単一又は複数の処理回路に適宜に分散又は統合されて実現されてもよい。また、ここでは、単一の記憶回路１３２が各処理機能に対応するプログラムを記憶する場合の例を説明したが、実施形態はこれに限られない。例えば、複数の記憶回路が分散して配置され、処理回路１３５が、個別の記憶回路から対応するプログラムを読み出して実行する構成としても構わない。
【００５２】
図５は、第１の実施形態に係る医用情報処理システム１００によって行われる処理の処理手順を示すフローチャートである。
【００５３】
例えば、図５に示すように、本実施形態に係る医用情報処理システム１００では、医用画像診断装置１１０が、被検体から収集したデータに基づいて、医用画像の画像データを生成する（ステップＳ１０１）。
【００５４】
その後、医用情報処理装置１３０の取得機能１３５ａが、医用画像診断装置１１０によって生成された画像データを取得する（ステップＳ１０２）。このステップＳ１０２は、例えば、処理回路１３５が取得機能１３５ａに対応する所定のプログラムを記憶回路１３２から呼び出して実行することにより実現される。
【００５５】
その後、医用情報処理装置１３０の解析機能１３５ｂが、取得機能１３５ａによって取得された画像データに基づいて、解析処理を行う（ステップＳ１０３）。このステップＳ１０３は、例えば、処理回路１３５が解析機能１３５ｂに対応する所定のプログラムを記憶回路１３２から呼び出して実行することにより実現される。
【００５６】
その後、医用情報処理装置１３０の保存機能１３５ｃが、取得機能１３５ａによって取得された画像データ、及び、当該画像データに基づく解析結果を示す解析データを保存する（ステップＳ１０４）。ここで、保存機能１３５ｃは、解析データをテキスト形式で保存する。このステップＳ１０４は、例えば、処理回路１３５が保存機能１３５ｃに対応する所定のプログラムを記憶回路１３２から呼び出して実行することにより実現される。
【００５７】
そして、画像データ及び解析データが保存されてから所定の保管期間が経過した場合に（ステップＳ１０５，Ｙｅｓ）、医用情報保管装置１２０が、画像データを削除又は圧縮する（ステップＳ１０６）。ここで、解析データについては、所定の保管期間が経過しても削除も圧縮もされずに、画像データが削除又は圧縮された後も医用情報保管装置１２０に継続して保存される。
【００５８】
上述したように、第１の実施形態では、保管期間が経過した際に画像データが削除又は圧縮される一方で、解析データについては、画像データが削除又は圧縮された後も継続して保存される。ここで、解析データはテキスト形式で保存されているため、医用情報保管装置１２０に保存されるデータのデータ量が抑えられる。
【００５９】
したがって、第１の実施形態によれば、長期の経過観察が必要な病気のフォローアップをより確実に行うことができるようになる。
【００６０】
（第２の実施形態）
なお、上述した第１の実施形態では、保存機能１３５ｃが解析データをテキスト形式で保存することとしたが、例えば、保存機能１３５ｃは、解析データを暗号化したうえで、テキスト形式で保存するようにしてもよい。以下では、このような場合の例を第２の実施形態として説明する。なお、第２の実施形態では、上述した実施形態と異なる点を中心に説明することとし、上述した実施形態と重複する内容については説明を省略する。
【００６１】
本実施形態では、保存機能１３５ｃは、解析データを暗号化してテキスト形式で保存する。例えば、保存機能１３５ｃは、解析データをバイナリ（Binary）形式で暗号化し、暗号化された解析データをテキスト形式で保存する。
【００６２】
ここで、例えば、保存機能１３５ｃは、画像データ及び解析データを保存してから所定の保管期間が経過した際に、解析データを暗号化してテキスト形式で保存する。
【００６３】
図６は、第２の実施形態に係る保存機能１３５ｃによって保存される画像データ及び解析データの保存例を示す図である。なお、図６に示す保存例は、図３に示した保存例において、解析データを暗号化する場合の例である。
【００６４】
例えば、図６の（Ａ−１）に示すように、保存機能１３５ｃは、図３の（Ａ−１）に示した例と同様に、画像データ、レポートのデータ、解析データ、及び他の関連データ（同図に示す「・・・」）をそれぞれデータ項目とし、各データ項目をレコードのキーに対応付けたテーブルの形式で、保存データを保存する。または、例えば、図６の（Ｂ−１）に示すように、保存機能１３５ｃは、図３の（Ｂ−１）に示した例と同様に、画像データ及び解析データのみをデータ項目とし、各データ項目をレコードのキーに対応付けたテーブルの形式で、保存データを保存する。このとき、保存機能１３５ｃは、図３に示した例と同様に、解析データをテキスト形式でテーブルに設定する。
【００６５】
そして、例えば、図６の（Ａ−２）及び（Ｂ−２）に示すように、保存機能１３５ｃは、画像データ及び解析データが保存されてから所定の保管期間が経過した際に、データ項目を解析データのみにした保存データを新たに作成して、医用情報保管装置１２０に保存する。このとき、保存機能１３５ｃは、新たな作成する保存データでは、解析データを暗号化したうえで、テキスト形式で設定する。この場合には、医用情報保管装置１２０は、図３に示した例と同様に、画像データ及び解析データが保存されてから所定の保管期間が経過した際に、先に保存されていた保存データをレコードごと削除する。
【００６６】
または、例えば、保存機能１３５ｃは、画像データ及び解析データを保存する際に、当該解析データを暗号化してテキスト形式で保存してもよい。
【００６７】
図７は、第２の実施形態に係る保存機能１３５ｃによって保存される画像データ及び解析データの保存例を示す図である。なお、図７に示す保存例も、図３に示した保存例において、解析データを暗号化する場合の例である。
【００６８】
例えば、図７の（Ａ−１）に示すように、保存機能１３５ｃは、図３の（Ａ−１）に示した例と同様に、画像データ、レポートのデータ、解析データ、及び他の関連データ（同図に示す「・・・」）をそれぞれデータ項目とし、各データ項目をレコードのキーに対応付けたテーブルの形式で、保存データを保存する。または、例えば、図７の（Ｂ−１）に示すように、保存機能１３５ｃは、図３の（Ｂ−１）に示した例と同様に、画像データ及び解析データのみをデータ項目とし、各データ項目をレコードのキーに対応付けたテーブルの形式で、保存データを保存する。このとき、保存機能１３５ｃは、解析データを暗号化したうえで、テキスト形式でテーブルに設定する。
【００６９】
そして、例えば、図７の（Ａ−２）及び（Ｂ−２）に示すように、保存機能１３５ｃは、画像データ及び解析データが保存されてから所定の保管期間が経過した際に、データ項目を解析データのみにした保存データを新たに作成して、医用情報保管装置１２０に保存する。このとき、保存機能１３５ｃは、新たな作成する保存データでも、解析データを暗号化したうえで、テキスト形式で設定する。この場合には、医用情報保管装置１２０は、図３に示した例と同様に、画像データ及び解析データが保存されてから所定の保管期間が経過した際に、先に保存されていた保存データをレコードごと削除する。
【００７０】
なお、図６及び７に示す例では、保存機能１３５ｃは、保管期間が経過した際に新たに作成した保存データを医用情報保管装置１２０に保存するのではなく、医用情報処理装置１３０の記憶回路１３２に保存してもよい。または、保存機能１３５ｃは、医用情報保管装置１２０、及び、医用情報処理装置１３０の記憶回路１３２の両方に保存データを保存してもよい。すなわち、保存機能１３５ｃは、医用情報保管装置１２０に、及び、医用情報処理装置１３０の記憶回路１３２の少なくとも一方に解析データを保存する。
【００７１】
上述した第２の実施形態によれば、第１の実施形態と同様に、長期の経過観察が必要な病気のフォローアップをより確実に行うことができるようになる。
【００７２】
さらに、第２の実施形態によれば、例えば、医用情報処理装置１３０に実装されている特定の臨床アプリケーションのみで複合することが可能な形式を用いて解析データを暗号化することによって、異なる臨床アプリケーションで解析データが利用された場合に生じ得る解析結果の解釈の違いによる誤診を防ぐことができるようになる。
【００７３】
（変形例）
以上、第１及び第２の実施形態について説明したが、各実施形態は、目的や用途に応じて適宜に変形して実施することも可能である。
【００７４】
例えば、保存機能１３５ｃは、解析結果の基になった画像データを撮像した医用画像診断装置１１０に関するデータを解析データと関連付けてテキスト形式でさらに保存してもよい。この場合には、解析データと関連付けられたデータは、画像データが削除又は圧縮された後も継続して保存されるようにする。
【００７５】
例えば、保存機能１３５ｃは、解析データを含むテーブルに、当該解析データの基になった画像データを撮像した医用画像診断装置１１０に関するデータをさらに含めて保存する。このとき、保存機能１３５ｃは、医用画像診断装置１１０に関するデータをテキスト形式で設定する。または、保存機能１３５ｃは、医用画像診断装置１１０に関するデータを暗号化して、テキスト形式で保存してもよい。そして、医用情報保管装置１２０は、保管期間が経過した際に、当該医用画像診断装置１１０に関するデータを削除も圧縮もしないようにする。
【００７６】
ここで、例えば、保存機能１３５ｃは、医用画像診断装置１１０に関するデータとして、画像データが撮像された際の医用画像診断装置１１０の使用環境に関するデータを保存する。ここでいう使用環境に関するデータは、例えば、医用画像診断装置１１０を一意に識別する識別情報や、医用画像診断装置１１０の仕様を示す情報、画像データを撮像した際の撮像条件等である。
【００７７】
上述した各実施形態のように、解析データを長期（例えば、１０年等）にわたって保存しておくことが可能になった場合には、その途中で、病院等に設置される医用画像診断装置１１０が変更されることもあり得る。そのような場合には、撮像される画像データが変わることによって、解析データの精度が変わってしまうこともあり得る。
【００７８】
このような場合でも、例えば、使用環境に関するデータを解析データと関連付けて保存しておくことによって、解析データの変化点が特定できるようになり、解析データを正当に評価できるようになる。例えば、同じ使用環境で撮像された画像データに関する解析データのみを検索、取得、及び比較できるようになる。例えば、３Ｔ（テスラ）のＭＲＩ装置によって撮像された画像データに関する解析データのみを検索、取得、及び比較できるようになる。
【００７９】
また、例えば、保存機能１３５ｃは、解析結果が得られた解析で用いられたデータを解析データと関連付けてテキスト形式でさらに保存してもよい。この場合には、解析データと関連付けられたデータは、画像データが削除又は圧縮された後も継続して保存されるようにする。
【００８０】
例えば、保存機能１３５ｃは、解析データを含むテーブルに、当該解析データが得られた解析で用いられた全ての関連データをさらに含めて保存する。このとき、保存機能１３５ｃは、解析で用いられたデータをテキスト形式で設定する。または、保存機能１３５ｃは、解析で用いられたデータを暗号化して、テキスト形式で保存してもよい。そして、医用情報保管装置１２０は、保管期間が経過した際に、当該解析で用いられたデータを削除も圧縮もしないようにする。
【００８１】
ここで、例えば、保存機能１３５ｃは、アルツハイマーの解析が行われる場合に、解析データとして、脳の海馬のボリュームの計測値を保存し、さらに、当該解析で用いられたデータとして、脳の全ての領域のボリュームの計測値を保存しておく。これにより、例えば、１０年後のフォローアップで海馬以外の領域の過去の状態を把握する必要が生じた場合でも、各領域のボリュームの過去の計測値を参照できるようになる。
【００８２】
（実施形態及び変形例に係る効果）
上述した各実施形態及び各変形例によれば、長期の経過観察が必要な病気のフォローアップをより確実に行うことができるようになる。
【００８３】
図８〜１０は、各実施形態及び各変形例に係る医用情報処理システム１００の効果を説明するための図である。
【００８４】
例えば、図８の（Ａ）に示すように、被検体の病気がアルツハイマーであることが疑われた場合には、図８の（Ｂ）に示すように、医用画像診断装置１１０の一例であるＭＲＩ装置を用いて、脳の撮像が行われる。その後、例えば、図８の（Ｃ）に示すように、医用情報処理装置１３０を用いて、ＭＲＩ装置によって撮像された画像データに基づいて診断用の画像データが生成され、さらに、医用情報処理装置１３０の臨床アプリケーションを用いた解析によって、画像データに基づいて海馬のボリュームが計測される。そして、例えば、図８の（Ｄ）に示すように、医用情報処理装置１３０によって、解析に用いられた画像データ、及び、海馬のボリュームの計測値を含む解析データが医用情報保管装置１２０に保管される。
【００８５】
ここで、仮に、医用情報処理システム１００が、保管期間が経過した際に画像データとともに解析データも削除するように構成されていた場合には、例えば、画像データの保管期間が５年であったとすると、図９の（Ｄ）に示すように、１０年後の時点では、５〜９年目までの解析データのみが医用情報保管装置１２０に保管されていることになる。この場合には、５年より前の解析データは参照することができないため、病気のフォローアップを適切に行えないこともあり得る。
【００８６】
これに対し、上述した各実施形態及び各変形例に係る医用情報処理システム１００では、例えば、図１０の（Ｄ）に示すように、１０年後には、画像データについては、１〜９年目までの全ての解析データが保存されていることになる。これにより、例えば、１０年後の時点で、１〜１０年目までの解析データを用いて、病気のフォローアップをより確実に行うことができるようになる。例えば、１〜１０年目までの海馬のボリュームの萎縮率の変化を表すグラフ等を作成することができるようになり、効果的にフォローアップを行うことができるようになる。
【００８７】
ここで、例えば、保管期間が経過した際に、使用予定のあるデータを残して他のデータを削除するような構成は一般的にあり得ると考えられる。しかし、そのような構成と比べた場合に、上述した各実施形態及び各変形例に係る医用情報処理システム１００では、保管期間が経過した後も継続して残されるデータ（解析データ等）はテキスト形式で保存されるため、保存されるデータのデータ量をより抑えることができる。
【００８８】
なお、上述した各実施形態の説明で用いた「プロセッサ」という文言は、例えば、ＣＰＵ（Central  Processing  Unit）、ＧＰＵ（Graphics  Processing  Unit）、或いは、特定用途向け集積回路（Application  Specific  Integrated  Circuit：ＡＳＩＣ）、プログラマブル論理デバイス（例えば、単純プログラマブル論理デバイス（Simple  Programmable  Logic  Device：ＳＰＬＤ）、複合プログラマブル論理デバイス（Complex  Programmable  Logic  Device：ＣＰＬＤ）、及びフィールドプログラマブルゲートアレイ（Field  Programmable  Gate  Array：ＦＰＧＡ））等の回路を意味する。ここで、記憶回路にプログラムを保存する代わりに、プロセッサの回路内にプログラムを直接組み込むように構成しても構わない。この場合には、プロセッサは回路内に組み込まれたプログラムを読み出し実行することで機能を実現する。また、本実施形態の各プロセッサは、プロセッサごとに単一の回路として構成される場合に限らず、複数の独立した回路を組み合わせて一つのプロセッサとして構成され、その機能を実現するようにしてもよい。
【００８９】
ここで、プロセッサによって実行されるプログラムは、ＲＯＭ（Read  Only  Memory）や記憶回路等に予め組み込まれて提供される。なお、このプログラムは、これらの装置にインストール可能な形式又は実行可能な形式のファイルでＣＤ（Compact  Disk）−ＲＯＭ、ＦＤ（Flexible  Disk）、ＣＤ−Ｒ（Recordable）、ＤＶＤ（Digital  Versatile  Disk）等のコンピュータで読み取り可能な記憶媒体に記録されて提供されてもよい。また、このプログラムは、インターネット等のネットワークに接続されたコンピュータ上に格納され、ネットワーク経由でダウンロードされることにより提供又は配布されてもよい。例えば、このプログラムは、上述した各機能部を含むモジュールで構成される。実際のハードウェアとしては、ＣＰＵが、ＲＯＭ等の記憶媒体からプログラムを読み出して実行することにより、各モジュールが主記憶装置上にロードされて、主記憶装置上に生成される。
【００９０】
以上説明した少なくとも一つの実施形態によれば、長期の経過観察が必要な病気のフォローアップをより確実に行うことができるようになる。
【００９１】
本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００９２】
１００  医用情報処理システム
１１０  医用画像診断装置
１２０  医用情報保管装置
１３０  医用情報処理装置
１３５  処理回路
１３５ａ  取得機能
１３５ｃ  保存機能
【図１】
2019061376.tif 000003
【図２】
2019061376.tif 000004
【図３】
2019061376.tif 000005
【図４】
2019061376.tif 000006
【図５】
2019061376.tif 000007
【図６】
2019061376.tif 000008
【図７】
2019061376.tif 000009
【図８】
2019061376.tif 000010
【図９】
2019061376.tif 000011
【図１０】
2019061376.tif 000012